(57)【要約】  ＣＲＳ干渉が受信されないときにＣＳＩが計算されたときなど、報告されたＣＳＩが、干渉セルから受信された消去不可能なＣＲＳ干渉を反映しないことがある。問題に対処するために、ユーザ機器（ＵＥ）が、干渉セルからの干渉を消去／抑圧することに関連する干渉消去／抑圧効率（ＣＳＥ）を決定し得る。さらに、決定されたＣＳＥに基づいて、ＵＥは、ＣＳＩが干渉セル信号に関するＵＥの真の消去効率を反映するようにＣＳＩを計算し得る。決定されたＣＳＥに基づいてＣＳＩを計算したとき、ＵＥは、ＣＳＩが、干渉セル信号に関するＵＥの真の消去効率を反映すべきＣＳＩよりも悪いと報告し得る。【選択図】図８
2017515358.tif 000002
【特許請求の範囲】
【請求項１】
セルのセットの各セルのための消去／抑圧効率（ＣＳＥ）を決定することと、
前記セルのセットの各セルのための前記決定されたＣＳＥに基づいてチャネル状態情報（ＣＳＩ）を計算することと
を備える、ワイヤレス通信の方法。
【請求項２】
前記セルのセットは、干渉セル、サービングセル、またはそれらの組合せのうちの少なくとも１つを含む、
請求項１に記載の方法。
【請求項３】
前記セルのセットの各セルのための前記ＣＳＥを決定するための参照リソースを決定することと、
前記セルのセットの各セルのための前記参照リソース上で前記信号を受信することを試みること、ここにおいて、前記ＣＳＥは、セルのための前記参照リソース中で受信された前記信号に基づいて、前記セルについて決定される、と
をさらに備える、請求項１に記載の方法。
【請求項４】
変調次数またはコーディング方式のうちの少なくとも１つに基づいて、前記セルのセットの各セルのための前記ＣＳＥを決定するための参照リソースを決定することをさらに備える、
請求項１に記載の方法。
【請求項５】
前記計算されたＣＳＥをペイロード中でサービング基地局に送ることをさらに備える、
請求項１に記載の方法。
【請求項６】
前記決定することおよび前記計算することが測定イベントによってトリガされる、
請求項１に記載の方法。
【請求項７】
サービング基地局からのセル固有基準信号（ＣＲＳ）が前記セルのセットの各干渉セルからのＣＲＳと衝突しているかどうかを決定することをさらに備え、前記ＣＳＩは、前記サービング基地局からのＣＲＳが前記セルのセットの各干渉セルからのＣＲＳと衝突しているかどうかの前記決定に基づいて計算される、
請求項１に記載の方法。
【請求項８】
前記サービング基地局からの前記ＣＲＳは、前記セルのセットの各干渉セルからのＣＲＳと衝突しておらず、前記ＣＳＩは、前記セルのセットから受信された信号の干渉消去／抑圧を実施せずに計算される、
請求項７に記載の方法。
【請求項９】
前記サービング基地局からの前記ＣＲＳは、前記セルのセットの各干渉セルからのＣＲＳと衝突しており、前記方法は、前記セルのセットの各干渉セルのための前記計算されたＣＳＥに重みを適用することをさらに備え、前記ＣＳＩは、前記セルのセットの各干渉セルのための前記重み付けされたＣＳＥに基づいて計算される、
請求項７に記載の方法。
【請求項１０】
前記ＣＳＩは、前記重み付けされたＣＳＥが０であるとき、干渉セルから受信された信号の干渉消去／抑圧を実施せずに計算され、前記重み付けされたＣＳＥが０でないとき、干渉セルから受信された信号の干渉消去／抑圧を実施して計算される、
請求項９に記載の方法。
【請求項１１】
前記サービング基地局からの前記ＣＲＳは、前記セルのセットの干渉セルの第１のサブセットからのＣＲＳと衝突しており、前記セルのセットの干渉セルの第２のサブセットからのＣＲＳと衝突しておらず、前記方法は、衝突するＣＲＳをもつ干渉セルからの干渉を消去／抑圧すべきかどうかを決定することをさらに備える、
請求項７に記載の方法。
【請求項１２】
前記干渉セルからの干渉信号を消去／抑圧することを控えることを決定すると、前記ＣＳＩは、衝突するＣＲＳをもつ干渉セルから受信された信号の干渉消去／抑圧を実施せずに計算される、
請求項１１に記載の方法。
【請求項１３】
前記干渉セルからの干渉信号を消去／抑圧することを決定すると、前記ＣＳＩは、衝突するＣＲＳをもつ干渉セルから受信された信号の干渉消去／抑圧を実施して計算される、
請求項１１に記載の方法。
【請求項１４】
前記ＣＳＩは、複数の計算されたＣＳＥ値を平均化することによって計算される、
請求項１１に記載の方法。
【請求項１５】
セルのセットの各セルのための消去／抑圧効率（ＣＳＥ）を決定するための手段と、
前記セルのセットの各セルのための前記決定されたＣＳＥに基づいてチャネル状態情報（ＣＳＩ）を計算するための手段と
を備える、ワイヤレス通信のための装置。
【請求項１６】
前記セルのセットの各セルのための前記ＣＳＥを決定するための参照リソースを決定するための手段と、
前記セルのセットの各セルのための前記参照リソース上で前記信号を受信することを試みるための手段、ここにおいて、前記ＣＳＥは、セルのための前記参照リソース中で受信された前記信号に基づいて、前記セルについて決定される、と
をさらに備える、請求項１５に記載の装置。
【請求項１７】
変調次数またはコーディング方式のうちの少なくとも１つに基づいて、前記セルのセットの各セルのための前記ＣＳＥを決定するための参照リソースを決定するための手段をさらに備える、
請求項１５に記載の装置。
【請求項１８】
前記計算されたＣＳＥをペイロード中でサービング基地局に送るための手段をさらに備える、
請求項１５に記載の装置。
【請求項１９】
サービング基地局からのセル固有基準信号（ＣＲＳ）が前記セルのセットの各干渉セルからのＣＲＳと衝突しているかどうかを決定するための手段をさらに備え、前記ＣＳＩは、前記サービング基地局からのＣＲＳが前記セルのセットの各干渉セルからのＣＲＳと衝突しているかどうかの前記決定に基づいて計算される、
請求項１５に記載の装置。
【請求項２０】
前記サービング基地局からの前記ＣＲＳは、前記セルのセットの各干渉セルからのＣＲＳと衝突しておらず、前記ＣＳＩは、前記セルのセットから受信された信号の干渉消去／抑圧を実施せずに計算される、
請求項１９に記載の装置。
【請求項２１】
前記サービング基地局からの前記ＣＲＳは、前記セルのセットの各干渉セルからのＣＲＳと衝突しており、前記装置は、前記セルのセットの各干渉セルのための前記計算されたＣＳＥに重みを適用するための手段をさらに備え、前記ＣＳＩは、前記セルのセットの各干渉セルのための前記重み付けされたＣＳＥに基づいて計算される、
請求項１９に記載の装置。
【請求項２２】
前記サービング基地局からの前記ＣＲＳは、前記セルのセットの干渉セルの第１のサブセットからのＣＲＳと衝突しており、前記セルのセットの干渉セルの第２のサブセットからのＣＲＳと衝突しておらず、前記装置が、衝突するＣＲＳをもつ干渉セルからの干渉を消去／抑圧すべきかどうかを決定するための手段をさらに備える、
請求項１９に記載の装置。
【請求項２３】
メモリと、
前記メモリに結合された少なくとも１つのプロセッサと
を備え、前記少なくとも１つのプロセッサは、
セルのセットの各セルのための消去／抑圧効率（ＣＳＥ）を決定することと、
前記セルのセットの各セルのための前記決定されたＣＳＥに基づいてチャネル状態情報（ＣＳＩ）を計算することと
を行うように構成された、ワイヤレス通信のための装置。
【請求項２４】
前記少なくとも１つのプロセッサは、
前記セルのセットの各セルのための前記ＣＳＥを決定するための参照リソースを決定することと、
前記セルのセットの各セルのための前記参照リソース上で前記信号を受信することを試みること、ここにおいて、前記ＣＳＥは、セルのための前記参照リソース中で受信された前記信号に基づいて、前記セルについて決定される、と
を行うようにさらに構成された、請求項２３に記載の装置。
【請求項２５】
前記少なくとも１つのプロセッサは、変調次数またはコーディング方式のうちの少なくとも１つに基づいて、前記セルのセットの各セルのための前記ＣＳＥを決定するための参照リソースを決定するようにさらに構成された、
請求項２３に記載の装置。
【請求項２６】
前記少なくとも１つのプロセッサは、前記計算されたＣＳＥをペイロード中でサービング基地局に送るようにさらに構成された、
請求項２３に記載の装置。
【請求項２７】
前記少なくとも１つのプロセッサは、サービング基地局からのセル固有基準信号（ＣＲＳ）が前記セルのセットの各干渉セルからのＣＲＳと衝突しているかどうかを決定するようにさらに構成され、前記ＣＳＩは、前記サービング基地局からのＣＲＳが前記セルのセットの各干渉セルからのＣＲＳと衝突しているかどうかの前記決定に基づいて計算される、
請求項２３に記載の装置。
【請求項２８】
前記サービング基地局からの前記ＣＲＳは、前記セルのセットの各干渉セルからのＣＲＳと衝突しており、前記少なくとも１つのプロセッサは、前記セルのセットの各干渉セルのための前記計算されたＣＳＥに重みを適用するようにさらに構成され、前記ＣＳＩは、前記セルのセットの各干渉セルのための前記重み付けされたＣＳＥに基づいて計算される、
請求項２７に記載の装置。
【請求項２９】
前記サービング基地局からの前記ＣＲＳは、前記セルのセットの干渉セルの第１のサブセットからのＣＲＳと衝突しており、前記セルのセットの干渉セルの第２のサブセットからのＣＲＳと衝突しておらず、前記少なくとも１つのプロセッサは、衝突するＣＲＳをもつ干渉セルからの干渉を消去／抑圧すべきかどうかを決定するようにさらに構成された、
請求項２７に記載の装置。
【請求項３０】
ワイヤレス通信のためのコンピュータ実行可能コードを記憶するコンピュータ可読媒体であって、
セルのセットの各セルのための消去／抑圧効率（ＣＳＥ）を決定することと、
前記セルのセットの各セルのための前記決定されたＣＳＥに基づいてチャネル状態情報（ＣＳＩ）を計算することと
を行うためのコードを備える、コンピュータ可読媒体。
【発明の詳細な説明】
【関連出願の相互参照】
【０００１】
[0001]本出願は、その全体が参照により本明細書に明確に組み込まれる、２０１４年３月３１日に出願された「CSI REPORT WITH DIFFERENT RECEIVER CAPABILITIES」と題する米国仮出願第６１／９７３，２３０号、および２０１５年３月４日に出願された「CSI REPORT WITH DIFFERENT RECEIVER CAPABILITIES」と題する米国特許出願第１４／６３９０５８号の利益を主張する。
【技術分野】
【０００２】
[0002]本開示は、一般に通信システムに関し、より詳細には、異なる受信機能力を用いたチャネル状態情報（ＣＳＩ：channel state information）報告に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ＵＥは、ダウンリンク送信に影響を及ぼし得る予想される干渉を示す情報をサービングセルに与えるために、サービングセルにＣＳＩを報告し得る。サービングセルは、報告されたＣＳＩに基づいて変調方式とコーディングレートとを調整し得る。報告されたＣＳＩは、セル固有基準信号からの消去不可能な干渉を反映しないことがある。したがって、セル固有基準信号（ＣＲＳ：cell-specific reference signal）からの消去不可能な干渉を反映するために、ＣＳＩをどのように計算すべきかを決定するための方法／装置が必要である。
【発明の概要】
【０００６】
[0006]ＣＲＳ干渉が受信されないときにＣＳＩが計算されたときなど、報告されたＣＳＩが、干渉セルから受信された消去不可能なＣＲＳ干渉を反映しないことがある。問題に対処するために、ユーザ機器（ＵＥ）が、干渉セルからの干渉を消去／抑圧することに関連する干渉消去／抑圧効率（ＣＳＥ：cancelation/suppression efficiency）を決定し得る。さらに、決定されたＣＳＥに基づいて、ＵＥは、ＣＳＩが干渉セル信号に関するＵＥの真の消去効率を反映するようにＣＳＩを計算し得る。決定されたＣＳＥに基づいてＣＳＩを計算したとき、ＵＥは、ＣＳＩが、干渉セル信号に関するＵＥの真の消去効率を反映すべきＣＳＩよりも悪いと報告し得る。
【０００７】
[0007]本開示の一態様では、方法、コンピュータプログラム製品、および装置が提供される。本装置はＵＥであり得る。ＵＥは、セルのセットの各セルのためのＣＳＥを決定する。さらに、ＵＥは、セルのセットの各セルのための決定されたＣＳＥに基づいてＣＳＩを計算する。ＵＥは、サービング基地局からのＣＲＳがセルのセットの各セルからのＣＲＳと衝突しているかどうかを決定し得る。ＵＥは、サービング基地局からのＣＲＳがセルのセットの各セルからのＣＲＳと衝突しているかどうかの決定に基づいてＣＳＩを計算し得る。ＵＥは、サービング基地局からのＣＲＳがセルのセットの各干渉セルからのＣＲＳと衝突しているかどうかの決定に基づいてＣＳＩを計算し得る。ＵＥは、衝突しないＣＲＳがある（セルのセットの各干渉セルからの衝突するＣＲＳがない）のか、衝突するＣＲＳがある（セルのセットの各干渉セルからの衝突するＣＲＳがある）のか、または部分的に衝突するＣＲＳがある（セルのセットの干渉セルのサブセットからの衝突するＣＲＳがある）のかに応じて、ＣＳＩを別様に計算し得る。
【図面の簡単な説明】
【０００８】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】異種ネットワーク中の範囲拡大セルラー領域を示す図。
【図８】消去／抑圧効率を使用してＣＳＩフィードバックを計算するための例示的な方法を示すための図。
【図９】ワイヤレス通信の方法のフローチャート。
【図１０】例示的な装置中の異なるモジュール／手段／構成要素間のデータフローを示す概念データフロー図。
【図１１】処理システムを採用する装置のためのハードウェア実装形態の一例を示す図。
【発明を実施するための形態】
【０００９】
[0019]添付の図面に関して以下に記載する発明を実施するための形態は、様々な構成を説明するものであり、本明細書で説明する概念が実施され得る構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００１０】
[0020]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１１】
[0021]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0022]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１３】
[0023]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１４】
[0024]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他
の好適な用語で呼ばれることもある。
【００１５】
[0025]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止
）と、ｅＭＢＭＳ関係の課金情報を収集することとを担い得る。
【００１６】
[0026]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担う。ｅＮＢは１つまたは複数の（たとえば、３つの）（セクタとも呼ばれる）セルをサポートし得る。「セル」という用語は、ｅＮＢの最小カバレージエリア、および／または特定のカバレージエリアをサービスするｅＮＢサブシステムを指すことができる。さらに、「ｅＮＢ」、「基地局」、および「セル」という用語は、本明細書では互換的に使用され得る。
【００１７】
[0027]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１８】
[0028]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１９】
[0029]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0030]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散（spread-spectrum）技法である。サブキャリアは正確な周波数で離間される。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２１】
[0031]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２２】
[0032]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２３】
[0033]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータまたはデータと制御情報の両方を送信し得る。ＵＬ送信は、サブフレームの両方のスロットにわたり得、周波数上でホッピングし得る。
【００２４】
[0034]初期システムアクセスを実施し、物理ランダムアクセスチャネル（ＰＲＡＣＨ：physical random access channel）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２５】
[0035]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２６】
[0036]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２７】
[0037]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担う。ＭＡＣサブレイヤ５１０はまたＨＡＲＱ動作を担う。
【００２８】
[0038]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担う。
【００２９】
[0039]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００３０】
[0040]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相偏移変調（ＢＰＳＫ：binary phase-shift keying）、４位相偏移変調（ＱＰＳＫ：quadrature phase-shift keying）、Ｍ位相偏移変調（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３１】
[0041]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３２】
[0042]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担う。
【００３３】
[0043]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担う。
【００３４】
[0044]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３５】
[0045]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３６】
[0046]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担う。
【００３７】
[0047]図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調と、ＵＥ７２０によって実施される干渉消去とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、範囲拡大セルラー領域７０３中のＵＥ７２０をサービスし、ＵＥ７２０が範囲拡大セルラー領域７０３に入るとき、マクロｅＮＢ７１０ａからのＵＥ７２０のハンドオフを受け入れることが可能になる。
【００３８】
[0048]サービングセルの範囲内で動作しているＵＥは、ＣＳＩ報告中でＣＳＩを報告し得る。ＣＳＩ報告は、ＵＥがサービングセルからの基準信号送信にわたって経験する干渉に基づく、サービングセルへのチャネル品質情報（ＣＱＩ：channel quality information）、プリコーディング行列インジケータ（ＰＭＩ：precoding matrix indicator）、および／またはランクインジケータ（ＲＩ：rank indicator）の報告を含み得る。基準信号は、セル固有基準信号（ＣＲＳ）、チャネル状態情報基準信号（ＣＳＩ−ＲＳ：Channel State Information Reference Signal）、または他の同様の送信であり得る。ＣＳＩ報告は、ダウンリンク送信に影響を及ぼし得る予想される干渉を示す情報をサービングセルに与える。
【００３９】
[0049]基地局によるＣＲＳの送信は、アンテナポートのセットのうちの１つまたは複数のアンテナポート上で行われ得る。たとえば、基地局は、アンテナポート０〜３のうちの１つまたは複数のアンテナポート上でＣＲＳを送信し得る。サービング基地局と干渉基地局とが同じアンテナポート上でＣＲＳを送信するとき、サービング基地局からのＣＲＳと干渉基地局からのＣＲＳとは重複し（同じリソース要素上にあり）、これは、衝突するＣＲＳと呼ばれることがある。逆に、サービング基地局と干渉基地局とが異なるアンテナポート上でＣＲＳを送信するとき、サービング基地局からのＣＲＳと干渉基地局からのＣＲＳとは重複せず（同じリソース要素上になく）、これは、衝突しないＣＲＳと呼ばれることがある。サービングセルからのＣＲＳが干渉セルからのＣＲＳと衝突しないとき、サービングセルからのＣＲＳは、干渉セルからのデータのみと衝突するか、または何ともまったく衝突しない。
【００４０】
[0050]衝突しないＣＲＳに関するＣＲＳベースのＣＳＩ報告では、ＵＥは、ＣＳＩを報告するより前にデータ干渉消去（ＩＣ：interference cancelation）を採用し得る。たとえば、ＵＥは、サービングセルＣＲＳを搬送するＯＦＤＭシンボルに対してデータＩＣを採用し、それによって、実際に存在するよりも少ない干渉を報告し得る。詳細には、ＵＥが、ノーマルサイクリックプレフィックスをもつアンテナポート０または１上でＣＲＳを受信した場合、ＵＥは、ＣＳＩを報告する前に、ＯＦＤＭシンボル０、４、７、および１１中の受信されたＣＲＳに対してデータＩＣを採用し得、ＵＥがアンテナポート２または３上でＣＲＳを受信した場合、ＵＥは、ＣＳＩを報告する前に、ＯＦＤＭシンボル１および８中の受信されたＣＲＳに対してデータＩＣを採用し得る。ＣＳＩ報告は、抑圧／消去された干渉をもつそのようなＣＲＳに基づく、サービングセルへのＣＱＩ、ＰＭＩ、および／またはＲＩの報告を含み得る。
【００４１】
[0051]１つの問題は、ＣＲＳ干渉が受信されないときにＣＳＩが計算されたときなど、報告されたＣＳＩが、干渉セルから受信された消去不可能なＣＲＳ干渉を反映しないことがあることである。問題に対処するために、ＵＥが、干渉セルからの干渉を消去／抑圧することに関連する干渉消去／抑圧効率（ＣＳＥ）を決定し得る。そのようなＣＳＥは、変調次数、空間方式／送信ランク、プリコーディング、および干渉セルが送信しているかどうかなど、干渉セルの送信特性に応じて変動し得る。ＣＳＥは、干渉セルのスケジューリング挙動に基づいて、受信機タイプに応じて、および／またはサービングセルからのＣＲＳと干渉セルからのＣＲＳとが衝突しているのか衝突していないのかに応じて、物理リソースブロック（ＰＲＢ：physical resource block）にわたって変動し得る。さらに、決定されたＣＳＥに基づいて、ＵＥは、ＣＳＩが干渉セルからのＣＲＳに関する真の消去効率を反映するようにＣＳＩを計算し得る。決定されたＣＳＥに基づいてＣＳＩを計算したとき、ＵＥは、ＣＳＩが、干渉セルからのＣＲＳに関する真の消去効率を反映すべきＣＳＩよりも悪いと報告し得る。決定されたＣＳＥに基づいてＣＳＩをどのように計算すべきかを決定するための方法／装置が必要である。
【００４２】
[0052]図８は、ＣＳＥを使用してＣＳＩフィードバックを計算するための例示的な方法８００を示すための図である。図８に示されているように、ＵＥ８０２はサービングセル８０４からＣＲＳを受信する。ＵＥ８０２はまた、（本明細書では干渉セルＡと呼ぶ）干渉セル８０６から、および（本明細書では干渉セルＢと呼ぶ）干渉セル８０８から干渉送信を受信し得る。干渉セルＡ、Ｂは、サービングセル８０４からのＣＲＳと重複する（すなわち、そのＣＲＳと同じリソース要素上にある）干渉送信を生成する。干渉送信の各々はデータ干渉またはＣＲＳ干渉であり得る。
【００４３】
[0053]干渉セルからの干渉送信がデータ干渉であるとき、ＵＥ８０２は、サービングセル８０４からリソース要素のセット上でＣＲＳを受信し、リソース要素の同じセット上で干渉セルからデータ干渉を受信する。そのようなシナリオは、干渉セルからのＣＲＳとサービングセルからのＣＲＳとが衝突しないので、本明細書では衝突しないＣＲＳと呼ぶ。衝突しないＣＲＳは、サービングセルからのＣＲＳとリソース要素の同じセット中で干渉セルからの干渉信号（データまたはＣＲＳ）が受信されないときをも含む。
【００４４】
[0054]干渉セルからの干渉送信がＣＲＳ干渉であるとき、ＵＥ８０２は、サービングセル８０４からリソース要素のセット上でＣＲＳを受信し、リソース要素の同じセット上で干渉セルからのＣＲＳ干渉を受信する。そのようなシナリオは、干渉セルからのＣＲＳとサービングセルからのＣＲＳとが衝突するので、本明細書では衝突するＣＲＳと呼ぶ。
【００４５】
[0055]ＵＥ８０２が、リソース要素の同じセット上で、サービングセル８０４からのＣＲＳと干渉セルＡからのデータ干渉とを受信したとき、ＵＥ８０２は、干渉セルＡからのデータ干渉を消去することを試み、干渉消去試みに基づいて、８１０において、干渉セルＡからの干渉を消去するためのＣＳＥを決定し得る。同様に、ＵＥ８０２が、リソース要素の同じセット上で、サービングセル８０４からのＣＲＳと干渉セルＢからのデータ干渉とを受信したとき、ＵＥ８０２は、干渉セルＢからのデータ干渉を消去することを試み、干渉消去試みに基づいて、８１０において、干渉セルＢからの干渉を消去するためのＣＳＥを決定し得る。
【００４６】
[0056]ＵＥ８０２は、干渉セルＡ、Ｂの各々のためのＣＳＥについてのＣＳＩセルリストを維持し得る。ＣＳＥについてのＣＳＩセルリストは、干渉セルＡおよびＢの各々と、干渉セルＡおよびＢの各々のための決定されたＣＳＥとをリストし得る。概して、Ｎ個の干渉セルがある場合、ＵＥ８０２は、Ｎ個の干渉セルの任意のサブセットのためのＣＳＥについてのＣＳＩセルリストを維持し得る。たとえば、Ｎ個の干渉セルがある場合、ＵＥ８０２は、すべてのＮ個の干渉セルのためのＣＳＥについてのＣＳＩセルリストを維持し得る。ＣＳＩセルリスト中の各セルについて、ＵＥ８０２は、８１０において、１つまたは複数のＣＳＥを計算し得、ＣＳＥの各々は、それぞれの干渉セルからのＣＲＳ干渉を消去することに関する効率を示す。ＵＥ８０２は、干渉セルごとに１つまたは複数のＣＳＥを維持し得る。一構成では、ＵＥ８０２は干渉セルごとに１つのＣＳＥを維持し得る。別の構成では、干渉セルのうちの少なくとも１つについて、ＵＥ８０２は複数のＣＳＥを維持し得る。詳細には、特定の干渉セルについて、ＵＥ８０２は、特定の干渉セルからの干渉送信の送信特性（たとえば、変調次数、空間方式、送信ランクなど）のうちの１つまたは複数に特有である複数のＣＳＥを維持し得る。ＵＥ８０２は、ある時間期間にわたって、または特定の頻度／周期性で、各セルのための（１つまたは複数の）計算されたＣＳＥを個々に平均化し得る。特定の干渉セルについて複数のＣＳＥを維持する場合、ＵＥ８０２はＣＳＥを別々に平均化し得る。たとえば、ＵＥ８０２は、干渉セルＡからのＱＰＳＫのための第１のＣＳＥと、干渉セルＡからの１６ＱＡＭのための第２のＣＳＥとを維持し、それぞれＱＰＳＫおよび１６ＱＡＭのためのその後計算されたＣＳＥを用いて第１のＣＳＥおよび第２のＣＳＥを別々に平均化し得る。サービングｅＮＢ８０４は、時間／頻度平均化ポリシー８１２をＵＥ８０２にシグナリングし得る。ＵＥ８０２が、ＣＳＥが０に等しいと決定した場合、ＵＥは、干渉消去／抑圧を正常に実施することができない。ＵＥが、ＣＳＥが１に等しいと決定した場合、ＵＥは、完全な干渉消去／抑圧を実施することが可能である。したがって、ＵＥ８０２は、各干渉セルのための計算されたＣＳＥ値のリストを維持し、ここで、ＣＳＥは、ＵＥがその干渉セルに関してどのくらい効果的に干渉消去／抑圧を実施することができるかを示す。
【００４７】
[0057]ＵＥ８０２は、参照リソースに基づいてＣＳＥを決定し得る。ＣＳＩセルリスト中の各干渉セルについて、ＵＥ８０２は、ＣＳＥを決定するための参照リソースを示す情報８１４を受信し得る。参照リソースは、ゼロ電力（すなわち、干渉セルが送信していない）または非ゼロ電力（すなわち、干渉セルが送信している）を有し得る。参照リソースが特定のサブフレームについてゼロ電力を有する場合、ＵＥ８０２は、そのサブフレーム中の参照リソースに基づいてＣＳＥを計算することができない。参照リソースが非ゼロ電力を有する場合、参照リソースは、ＵＥ８０２にとっての未知の特性、部分的に既知の特性、または完全に既知の特性をもつ信号を含んでいることがある。ＱＰＳＫ  ＣＳＥのみが必要とされる場合、ＵＥ８０２は、ＣＳＥを決定するために既存の送信を使用し得る。この場合、ＵＥ８０２は参照リソースをシグナリングされる必要はない。たとえば、ＣＳＥを決定するために、ＵＥ８０２は、ＵＥ８０２が、空間方式／送信ランクと変調次数とをそれについて与えられるかまたはブラインド復号することができる、干渉ＳＩＢ１送信または干渉物理ダウンリンク制御チャネル（ＰＤＣＣＨ：physical downlink control channel）送信を使用し得る。
【００４８】
[0058]一構成では、ＵＥ８０２は、８１６において、各セルのための計算されたＣＳＥをサービングｅＮＢ８０４に与え得る。別の構成では、ＵＥ８０２は、８１８において、ＣＳＥを使用してＣＳＩを計算し、８２０において、計算されたＣＳＩをサービングｅＮＢ８０４に報告し得る。ＵＥ８０２は、サービングセル８０４からのＣＲＳが干渉セルＡ、Ｂのうちの１つまたは複数からのＣＲＳと衝突するかどうかに基づいて、ＣＳＩを別様に計算し得る。
【００４９】
[0059]サービングセル８０４からのＣＲＳが干渉セルＡ、ＢからのＣＲＳと衝突しないとき（たとえば、サービングセル８０４からのＣＲＳが干渉セルＡおよびＢのうちの１つまたは複数からのデータと衝突するか、または干渉セルＡおよびＢのうちの１つまたは複数が送信していない。「衝突しないＣＲＳシナリオ」と呼ばれる）、ＵＥ８０２は、ＣＳＩ計算のために干渉消去／抑圧を実施せずにＣＳＩを計算し得る。したがって、すべての干渉セルについて衝突しないＣＲＳがある場合、ＵＥ８０２は、ＣＳＩを計算するために消去仮定を使用しない。ＵＥ８０２は、その後、計算されたＣＳＩを報告する。
【００５０】
[0060]サービングセル８０４からのＣＲＳがすべての干渉セルからのＣＲＳと衝突するとき（「衝突するＣＲＳシナリオ」と呼ばれる）、ＵＥ８０２は、各干渉セルのためのＣＳＥに重みを適用し、重み付けされたＣＳＥに基づいてＣＳＩを計算し得る。特定の一例では、重みは０または１である。そのような例では、ＵＥ８０２は、各干渉セルのためのＣＳＥに重み０または１を適用し、重み付けされたＣＳＥに基づいてＣＳＩを計算し得る。たとえば、サービングセル８０４からのＣＲＳが干渉セルＡ、Ｂの各々からのＣＲＳと衝突するとき、ＵＥ８０２は、決定されたＣＳＥに重み０または１を適用し、重み付けされたＣＳＥに基づいてＣＳＩを計算し得る。干渉セルＡ、Ｂの各々のためのＣＳＥが０でないと仮定する。干渉セルＡ、ＢのＣＳＥにそれぞれ重み０、０が適用された場合、ＵＥ８０２は、ＣＳＩを計算するとき、干渉セルＡ、Ｂからの干渉を消去／抑圧せず、計算されたＣＳＩを報告する。干渉セルＡ、ＢのＣＳＥにそれぞれ重み０、１が適用された場合、ＵＥ８０２は、ＣＳＩを計算するとき、干渉セルＢからの干渉を消去／抑圧するが、干渉セルＡからの干渉を消去／抑圧せず、計算されたＣＳＩを報告する。干渉セルＡ、ＢのＣＳＥにそれぞれ重み１、０が適用された場合、ＵＥ８０２は、ＣＳＩを計算するとき、干渉セルＡからの干渉を消去／抑圧するが、干渉セルＢからの干渉を消去／抑圧せず、計算されたＣＳＩを報告する。干渉セルＡ、ＢのＣＳＥにそれぞれ重み１、１が適用された場合、ＵＥ８０２は、ＣＳＩを計算するとき、干渉セルＡと干渉セルＢの両方からの干渉を消去／抑圧し、計算されたＣＳＩを報告する。重みにかかわらず、干渉セルのためのＣＳＥが０である場合、ＵＥ８０２は、ＣＳＩを計算するとき、そのような干渉セルについて干渉を消去／抑圧しない。
【００５１】
[0061]概して、衝突するＣＲＳシナリオでは、ＵＥは信号ｙ＝ｈ＋ｎ＋ＩA＋ＩBを受信し得、ただし、ｈはサービングセルからのＣＲＳであり、ｎは雑音であり、ＩAは干渉セルＡからのＣＲＳ干渉であり、ＩBは干渉セルＡからのＣＲＳ干渉である。ＵＥは、消去効率ＣＳＥAで干渉ＩAを消去し、消去効率ＣＳＥBで干渉ＩBを消去し得る。干渉の消去のために重みｗAおよびｗBを適用したとき、ＵＥは、０＜ｗA＜１および／または０＜ｗB＜１であるとき、消去効率よりも少ない干渉を消去し得る（ｗA＝０およびｗB＝０であるとき、干渉の消去はない）。たとえば、ＵＥは、更新された信号ｙ’＝ｈ＋ｎ＋（１−ｗAＣＳＥA）ＩA＋（１−ｗBＣＳＥB）ＩBであるように、干渉を消去し得る。重みにより、干渉セルＡ、Ｂからのより多いまたはより少ない干渉が消去され得る。ＵＥは、次いで、更新された信号ｙ’に基づいてＣＳＩを計算し、計算されたＣＳＩをサービングセルに報告し得る。
【００５２】
[0062]サービングセル８０４からのＣＲＳが干渉セルのサブセットからのＣＲＳと衝突し、干渉セルの残りのサブセットからのＣＲＳと衝突しないとき（すなわち、混合展開シナリオ。「部分的に衝突するＣＲＳシナリオ」と呼ばれる）、ＵＥ８０２は、クリーン衝突計算仮定（clean colliding computation assumption）または非クリーン衝突計算仮定に基づいてＣＳＩを計算し得る。クリーン衝突計算仮定では、ＣＳＩを計算するとき、ＵＥ８０２は、衝突する干渉セルからの干渉を消去／抑圧し、衝突しない（uncolliding）セルからの（１−ＣＳＥ）１００％雑音寄与を加算する。非クリーン衝突計算仮定では、ＣＳＩを計算するとき、ＵＥ８０２は、衝突する干渉セルからの干渉を消去／抑圧せず、衝突しないセルからの１００％雑音寄与を加算する。
【００５３】
[0063]たとえば、サービングセル８０４からのＣＲＳが、干渉セルＡからのＣＲＳと衝突するが、干渉セルＢからのＣＲＳと衝突しないと仮定する。また、セルＡからのＣＲＳ干渉がＩAであり、セルＢからのＣＲＳ干渉がＩBであると仮定する。この場合、ＵＥ８０２は信号ｙ＝ｈ＋ｎ＋ＩAを受信し、ただし、ｈはサービングセルからのＣＲＳであり、ｎは雑音であり、ＩAは干渉セルＡからのＣＲＳ干渉である。さらに、また、干渉セルＡに関連するＣＳＥがＣＳＥAであり、干渉セルＢに関連するＣＳＥがＣＳＥBであると仮定する。ＵＥ８０２がクリーン衝突計算仮定に基づいてＣＳＩを計算し、干渉セルＡのＣＳＥAが０でない場合、ＵＥ８０２は、干渉セルＡからの干渉を消去／抑圧し（ＣＳＥAＩA干渉が消去され、（１−ＣＳＥA）ＩAの雑音寄与が残る）、干渉セルＢからの雑音寄与（（１−ＣＳＥB）ＩB）を加算し、これは、更新された信号ｙ’＝ｈ＋ｎ＋（１−ＣＳＥA）ＩA＋（１−ＣＳＥB）ＩBを与える。更新された信号ｙ’＝ｈ＋ｎ＋（１−ＣＳＥA）ＩA＋（１−ＣＳＥB）ＩBに基づいて、ＵＥ８０２は、ＣＳＩを計算し、計算されたＣＳＩを報告する。ＵＥ８０２が非クリーン衝突計算仮定に基づいてＣＳＩを計算する場合、ＵＥ８０２は、干渉セルＡからの干渉を消去／抑圧せず、干渉セルＢからの雑音寄与を加算し、これは、更新された信号ｙ’＝ｈ＋ｎ＋ＩA＋ＩBを与える。更新された信号ｙ’＝ｈ＋ｎ＋ＩA＋ＩBに基づいて、ＵＥ８０２は、ＣＳＩを計算し、計算されたＣＳＩを報告する。ＵＥ８０２は、１つのサブフレーム中でまたは異なるサブフレームにわたって、異なる雑音仮説の下で複数のＣＳＩを報告し得る。ＵＥ８０２は、ＣＳＥの長期平均化が実施された場合、測定報告中でＣＳＩを報告し得る。
【００５４】
[0064]重みは、混合展開状況においても適用され得る。概して、サービングセル８０４からのＣＲＳが、干渉セルＡからのＣＲＳと衝突するが、干渉セルＢからのＣＲＳと衝突しない、上記の例では、ＵＥは、重みｗBを、クリーン衝突計算仮定の場合には更新された信号ｙ’＝ｈ＋ｎ＋（１−ＣＳＥA）ＩA＋ｗB（１−ＣＳＥB）ＩBに適用し、非クリーン衝突計算仮定の場合には更新された信号ｙ’＝ｈ＋ｎ＋ＩA＋ｗBＩBに適用し得る。どちらの場合も、重みｗBは、ＣＳＩを計算する前に加算される干渉の量を制限する。上記の例では、クリーン衝突仮定において、干渉セルＡ、Ｂのための重みがそれぞれｘ、０である場合（ここで、０または１のいずれかであり得るｘ重みは、クリーン衝突仮定による影響を有しない）、ＣＲＳ干渉は干渉セルＡから消去され（（１−ＣＳＥA）ＩAの雑音寄与が残る）、干渉セルＢについてのＣＲＳ干渉は、ＣＳＩを計算する前に、受信された信号に加算されない（すなわち、ＣＳＩは、ｙ’＝ｈ＋ｎ＋（１−ＣＳＥA）ＩAに基づいて計算される）。クリーン衝突仮定において、干渉セルＡ、Ｂのための重みがそれぞれｘ、１である場合、ＣＲＳ干渉は干渉セルＡから消去され（（１−ＣＳＥA）ＩAの雑音寄与が残る）、干渉セルＢについてのＣＲＳ干渉（（１−ＣＳＥB）ＩB）は、ＣＳＩを計算する前に、受信された信号に加算される（すなわち、ＣＳＩは、ｙ’＝ｈ＋ｎ＋（１−ＣＳＥA）ＩA＋（１−ＣＳＥB）ＩBに基づいて計算される））。上記で説明したように、干渉セルＢのための０の重みは、干渉セルＢについての干渉が、ＣＳＩを計算する前に加算されないことを示し、干渉セルＢのための１の重みは、干渉セルＢについての干渉が、ＣＳＩを計算する前に加算されることを示す。ただし、重みは反転され得、その場合、干渉セルＢのための０の重みは、干渉セルＢについての干渉が、ＣＳＩを計算する前に加算されることを示し、干渉セルＢのための１の重みは、干渉セルＢについての干渉が、ＣＳＩを計算する前に加算されないことを示す。
【００５５】
[0065]別の例では、非クリーン衝突仮定において、干渉セルＡ、Ｂのための重みがそれぞれｘ、０である場合（ここで、０または１のいずれかであり得るｘ重みは、非クリーン衝突仮定による影響を有しない）、ＣＲＳ干渉は干渉セルＡから消去されず、干渉セルＢについてのＣＲＳ干渉は、ＣＳＩを計算する前に、受信された信号に加算されない（すなわち、ＣＳＩは、ｙ’＝ｈ＋ｎ＋ＩAに基づいて計算される）。非クリーン衝突仮定において、干渉セルＡ、Ｂのための重みがそれぞれｘ、１である場合、ＣＲＳ干渉は干渉セルＡから消去されず、干渉セルＢについてのＣＲＳ干渉（ＩB）は、ＣＳＩを計算する前に、受信された信号に加算される（すなわち、ＣＳＩは、ｙ’＝ｈ＋ｎ＋ＩA＋ＩBに基づいて計算される）。上記で説明したように、干渉セルＢのための０の重みは、干渉セルＢについての干渉が、ＣＳＩを計算する前に加算されないことを示し、干渉セルＢのための１の重みは、干渉セルＢについての干渉が、ＣＳＩを計算する前に加算されることを示す。ただし、重みは反転され得、その場合、干渉セルＢのための０の重みは、干渉セルＢについての干渉が、ＣＳＩを計算する前に加算されることを示し、干渉セルＢのための１の重みは、干渉セルＢについての干渉が、ＣＳＩを計算する前に加算されないことを示す。
【００５６】
[0066]サービングｅＮＢ８０４は、ＵＥ８０２がＣＳＥに基づいてＣＳＩの計算をどのように処理すべきかをビットマスク中でシグナリングし得る。サービングｅＮＢ８０４はまた、衝突するＣＲＳシナリオおよび／または混合展開シナリオの場合の重みをシグナリングし得る。別の構成では、ＵＥ８０２は、サブフレーム区分パターンに基づいて重みを決定し得、ここで、ＵＥ８０２は、非保護サブフレーム上ですべての消去可能なコライダ（collider）を報告し、保護サブフレーム上では消去可能なコライダのいずれをも報告しない。消去可能なコライダは、たとえば、すべての干渉セル、または最小しきい値よりも大きいＣＳＥを有する干渉セルを含み得る。代替または追加として、干渉セルは、サービングｅＮＢからのシグナリング、ＵＥによるブラインド検出によって、探索器プロセスの一部として、干渉消去／抑圧プロセスの一部として、または様々な他の技法によって識別され得る。
【００５７】
[0067]ＣＳＩを報告することに関して、ＵＥは周期的にまたは非周期的に報告し得る。非周期報告の場合、ＵＥは、ＵＥがサービングセルから設定されたＣＳＩ要求ビットとともにＰＤＣＣＨ上でアップリンクリソース許可を受信したとき、ＰＵＳＣＨ上でＣＳＩを報告し得る。周期報告の場合、ＣＳＥが決定され、ＣＳＩが報告される、頻度／周期性はサービングセルによって制御され得る。ＵＥは、ＵＥがＣＳＥの長期平均を維持するときなど、計算されたＣＳＩを測定報告中でサービングセルに送り得る。
【００５８】
[0068]図９は、ワイヤレス通信の方法のフローチャート９００である。本方法は、ＵＥ８０２など、ＵＥによって実施され得る。９０２および９０４など、破線を有するステップは、フローチャート９００において本方法の随意のステップを表す。
【００５９】
[0069]９０２において、ＵＥは、セルのセットの各セルのためのＣＳＥを決定するための参照リソースを決定する。セルのセットは１つまたは複数の干渉セルを含む。セルのセットはサービングセルをさらに含み得る。ＵＥは、変調次数またはコーディング方式のうちの少なくとも１つに基づいて、セルのセットの各セルのためのＣＳＥを決定するための参照リソースを決定し得る。たとえば、干渉セルからの干渉信号の干渉消去／抑圧のためにＱＰＳＫ効率のみが必要とされる場合、ＵＥは、参照リソースを、干渉セルからＱＰＳＫを使用する干渉送信（たとえば、ＳＩＢ１またはＰＤＣＣＨ送信）がその上で受信されるリソースであると決定し得る。
【００６０】
[0070]９０４において、ＵＥは、セルのセットの各セルのための参照リソース上で信号を受信することを試みる。一構成では、ステップ９０２、９０４は実施される。別の構成では、ステップ９０２、９０４は、ＵＥがＣＳＥを決定するための参照リソースを使用しないときなど、実施されない。
【００６１】
[0071]９０６において、ＵＥは、セルのセットの各セルのためのＣＳＥを決定する。ステップ９０２、９０４が実施されたとき、ＵＥは、セルのための参照リソース中で受信された信号に基づいて、そのセルについてＣＳＥを決定する。一構成では、ＵＥは、計算されたＣＳＥをペイロード中でサービング基地局に送り得る。
【００６２】
[0072]９０８において、ＵＥは、サービング基地局からのＣＲＳがセルのセットの各干渉セルからのＣＲＳと衝突しているかどうかを決定する。ＵＥは、受信された干渉がデータ干渉であるのかＣＲＳ干渉であるのかを決定することによってそのような決定を行い得る。
【００６３】
[0073]９１０において、ＵＥは、セルのセットの各干渉セルのための決定されたＣＳＥに基づいてＣＳＩを計算する。ＵＥは、サービング基地局からのＣＲＳがセルのセットの各干渉セルからのＣＲＳと衝突しているかどうかの決定に基づいてＣＳＩを計算し得る。たとえば、ＵＥが、ＣＲＳがサービングセルからのＣＲＳと衝突していないと決定した場合、ＵＥは、上述の衝突しないＣＲＳシナリオに基づいてＣＳＩを決定し得、衝突しないＣＲＳシナリオにおいて、ＵＥは、ＣＳＩ計算のために干渉消去／抑圧を実施せずにＣＳＩを計算し得る。別の例では、ＵＥが、すべての干渉セルからのＣＲＳがサービングセルからのＣＲＳと衝突していると決定した場合、ＵＥは、上述の衝突するＣＲＳシナリオに基づいてＣＳＩを決定し得、衝突するＣＲＳシナリオにおいて、ＵＥは、各干渉セルのためのＣＳＥに、上記で説明したように重みｗAまたはｗBを適用し、重み付けされたＣＳＥに基づいてＣＳＩを計算し得る。また別の例では、ＵＥが、干渉セルのサブセットからのＣＲＳがサービングセルからのＣＲＳと衝突していると決定した場合、ＵＥは、上述の混合展開シナリオに基づいてＣＳＩを決定し得る。重みは、上記で説明したように、混合展開シナリオにおいても適用され得る。
【００６４】
[0074]ステップ９０６および９１０は測定イベントによってトリガされ得る。たとえば、ＵＥは、ＰＤＣＣＨ上での受信されたアップリンクリソース許可中のＣＳＩ要求ビットの受信を通して非周期ＣＳＩ報告についての要求を受信し得る。その後、ステップ９１２において、ＵＥは、計算されたＣＳＩをＰＵＳＣＨを通してサービング基地局に送る。ＵＥは、ＵＥがＣＳＥの長期平均を維持するときなど、計算されたＣＳＩを測定報告中でサービング基地局に送り得る。
【００６５】
[0075]一構成では、ステップ９０８において、ＵＥは、サービング基地局からのＣＲＳがセルのセットの各干渉セルからのＣＲＳと衝突していないと決定する（すなわち、衝突しないＣＲＳシナリオ）。そのような構成では、ステップ９１０において、ＵＥは、セルのセットから受信された信号の干渉消去／抑圧を実施せずにＣＳＩを計算する。
【００６６】
[0076]一構成では、ステップ９０８において、ＵＥは、サービング基地局からのＣＲＳがセルのセットの各干渉セルからのＣＲＳと衝突していると決定する（すなわち、衝突するＣＲＳシナリオ）。そのような構成では、ステップ９１０において、ＵＥは、セルのセットの各干渉セルのための計算されたＣＳＥに重みを適用し、セルのセットの各干渉セルのための重み付けされたＣＳＥに基づいてＣＳＩを計算する。ＵＥは、重み付けされたＣＳＥが０であるとき、干渉セルから受信された信号の干渉消去／抑圧を実施せずにＣＳＩを計算し、重み付けされたＣＳＥが０でないとき、干渉セルから受信された信号の干渉消去／抑圧を実施してＣＳＩを計算し得る。
【００６７】
[0077]一構成では、ステップ９０８において、ＵＥは、サービング基地局からのＣＲＳが、セルのセットの干渉セルの第１のサブセットからのＣＲＳと衝突しており、セルのセットの干渉セルの第２のサブセットからのＣＲＳと衝突していないと決定する（すなわち、混合展開シナリオ）。そのような構成では、ステップ９１０において、ＵＥは、衝突するＣＲＳをもつ干渉セルからの干渉を消去／抑圧すべきかどうかを決定する。さらに、そのような構成では、ＵＥは、干渉セルからの干渉信号を消去／抑圧することを控えることを決定すると、衝突するＣＲＳをもつ干渉セルから受信された信号の干渉消去／抑圧を実施せずにＣＳＩを計算する。さらに、そのような構成では、ＵＥは、干渉セルからの干渉信号を消去／抑圧することを決定すると、衝突するＣＲＳをもつ干渉セルから受信された信号の干渉消去／抑圧を実施してＣＳＩを計算する。ＵＥは、複数の計算されたＣＳＥ値を平均化することによってＣＳＩを計算し得る。
【００６８】
[0078]図１０は、例示的な装置１００２中の異なるモジュール／手段／構成要素間のデータフローを示す概念データフロー図１０００である。本装置は、ＵＥ８０２など、ＵＥであり得る。装置１００２は、受信モジュール１００４と、ＣＳＥ決定モジュール１００６と、ＣＳＩ決定／干渉消去モジュール１００８と、送信モジュール１０１０とを含む。受信モジュール１００４は、サービングセル１０６０からＣＳＩを計算するための情報を受信するように構成される。ＣＳＩを計算するための情報は、ビットマスク、重み、またはＣＳＩをどのように計算すべきかをＵＥに知らせるために必要とされる他の情報を含み得る。受信モジュール１００４はまた、ＣＳＥを決定するために１つまたは複数の干渉セル１０５０から、参照リソースであり得るデータ信号を受信するように構成される。受信モジュール１００４はまた、サービングセル１０６０からのＣＲＳと、１つまたは複数の干渉セル１０５０からの干渉信号（データ、ＣＲＳ）とを受信するように構成される。ＣＳＥ決定モジュール１００６は、参照リソースであり得るデータ信号に基づいてセルのセットの各セルのための消去／抑圧効率（ＣＳＥ）を決定するように構成される。ＣＳＥ決定モジュール１００６は、決定されたＣＳＥをＣＳＩ決定／干渉消去モジュール１００８に与えるように構成される。ＣＳＩ決定／干渉消去モジュール１００８は、セルのセットの各セルのための決定されたＣＳＥに基づいてＣＳＩを計算するように構成される。ＣＳＩ決定／干渉消去モジュール１００８は、計算されたＣＳＩを送信モジュール１０１０に与えるように構成され得、送信モジュール１０１０は、計算されたＣＳＩをサービングセル１０６０に送信するように構成され得る。
【００６９】
[0079]一構成では、セルのセットは、干渉セル１０５０、サービングセル１０６０、またはそれらの組合せのうちの少なくとも１つを含む。一構成では、受信モジュール１００４は、セルのセットの各セルのためのＣＳＥを決定するための参照リソースを決定するように構成される。さらに、受信モジュール１００４は、セルのセットの各セルのための参照リソース上で信号を受信することを試みるように構成される。そのような構成では、ＣＳＥ決定モジュール１００６は、セルのための参照リソース中で受信された信号に基づいて、そのセルについてＣＳＥを決定するように構成され得る。一構成では、受信モジュール１００４は、変調次数またはコーディング方式のうちの少なくとも１つに基づいて、セルのセットの各セルのためのＣＳＥを決定するための参照リソースを決定するように構成され得る。一構成では、送信モジュール１０１０は、計算されたＣＳＥをペイロード中でサービング基地局に送るように構成され得る。一構成では、ＣＳＥ決定モジュールおよびＣＳＩ決定／干渉消去モジュールは、測定イベントによるトリガリングに基づいて、それぞれ、ＣＳＥを決定すること、およびＣＳＥに基づいてＣＳＩを計算することを行うように構成される。一構成では、ＣＳＩ決定／干渉消去モジュール１００８は、サービング基地局１０６０からのＣＲＳがセルのセットの各干渉セル１０５０からのＣＲＳと衝突しているかどうかを決定し、サービング基地局からのＣＲＳがセルのセットの各干渉セルからのＣＲＳと衝突しているかどうかの決定に基づいてＣＳＩを計算するように構成され得る。一構成では、サービング基地局からのＣＲＳはセルのセットの各干渉セルからのＣＲＳと衝突しておらず、ＣＳＩは、セルのセットから受信された信号の干渉消去／抑圧を実施せずに計算される。一構成では、サービング基地局からのＣＲＳはセルのセットの各干渉セルからのＣＲＳと衝突しており、ＣＳＩ決定／干渉消去モジュール１００８は、セルのセットの各干渉セルのための計算されたＣＳＥに重みを適用するように構成される。ＣＳＩは、セルのセットの各干渉セルのための重み付けされたＣＳＥに基づいて計算され得る。一構成では、ＣＳＩは、重み付けされたＣＳＥが０であるとき、干渉セルから受信された信号の干渉消去／抑圧を実施せずに計算され、重み付けされたＣＳＥが０でないとき、干渉セルから受信された信号の干渉消去／抑圧を実施して計算される。一構成では、サービング基地局からのＣＲＳは、セルのセットの干渉セルの第１のサブセットからのＣＲＳと衝突しており、セルのセットの干渉セルの第２のサブセットからのＣＲＳと衝突しておらず、ＣＳＩ決定／干渉消去モジュール１００８は、衝突するＣＲＳをもつ干渉セルからの干渉を消去／抑圧すべきかどうかを決定するように構成される。一構成では、干渉セルからの干渉信号を消去／抑圧することを控えることを決定すると、ＣＳＩは、衝突するＣＲＳをもつ干渉セルから受信された信号の干渉消去／抑圧を実施せずに計算される。一構成では、干渉セルからの干渉信号を消去／抑圧することを決定すると、ＣＳＩは、衝突するＣＲＳをもつ干渉セルから受信された信号の干渉消去／抑圧を実施して計算される。一構成では、ＣＳＩは、複数の計算されたＣＳＥ値を平均化することによって計算される。
【００７０】
[0080]本装置は、図９の上述のフローチャート中のアルゴリズムのブロックの各々を実施する追加のモジュールを含み得る。したがって、図９の上述のフローチャート中の各ブロックは１つのモジュールによって実施され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００７１】
[0081]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアモジュールと、モジュール１００４、１００６、１００８、１０１０と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００７２】
[0082]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信モジュール１００４に与える。さらに、トランシーバ１１１０は、処理システム１１１４、特に送信モジュール１０１０から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担う。ソフトウェアは、プロセッサ１１０４によって実行されたとき、処理システム１１１４に、特定の装置のための上記で説明した様々な機能を実施させる。コンピュータ可読媒体／メモリ１１０６はまた、ソフトウェアを実行するときにプロセッサ１１０４によって操作されるデータを記憶するために使用され得る。処理システムは、モジュール１００４、１００６、１００８、１０１０のうちの少なくとも１つをさらに含む。それらのモジュールは、プロセッサ１１０４中で動作するか、コンピュータ可読媒体／メモリ１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００７３】
[0083]一構成では、ワイヤレス通信のための装置１００２／１００２’は、セルのセットの各セルのための消去／抑圧効率（ＣＳＥ）を決定するための手段と、セルのセットの各セルのための決定されたＣＳＥに基づいてＣＳＩを計算するための手段とを含む。本装置は、セルのセットの各セルのためのＣＳＥを決定するための参照リソースを決定するための手段と、セルのセットの各セルのための参照リソース上で信号を受信することを試みるための手段とをさらに含み得る。ＣＳＥは、セルのための参照リソース中で受信された信号に基づいて、そのセルについて決定され得る。本装置は、変調次数またはコーディング方式のうちの少なくとも１つに基づいて、セルのセットの各セルのためのＣＳＥを決定するための参照リソースを決定するための手段をさらに含み得る。本装置は、計算されたＣＳＥをペイロード中でサービング基地局に送るための手段をさらに含み得る。本装置は、サービング基地局からのＣＲＳがセルのセットの各干渉セルからのＣＲＳと衝突しているかどうかを決定するための手段をさらに含み得る。ＣＳＩは、サービング基地局からのＣＲＳがセルのセットの各干渉セルからのＣＲＳと衝突しているかどうかの決定に基づいて計算され得る。一構成では、サービング基地局からのＣＲＳはセルのセットの各干渉セルからのＣＲＳと衝突しておらず、ＣＳＩは、セルのセットから受信された信号の干渉消去／抑圧を実施せずに計算される。一構成では、サービング基地局からのＣＲＳはセルのセットの各干渉セルからのＣＲＳと衝突しており、本装置は、セルのセットの各干渉セルのための計算されたＣＳＥに重みを適用するための手段をさらに含み、ここにおいて、ＣＳＩは、セルのセットの各干渉セルのための重み付けされたＣＳＥに基づいて計算される。一構成では、サービング基地局からのＣＲＳは、セルのセットの干渉セルの第１のサブセットからのＣＲＳと衝突しており、セルのセットの干渉セルの第２のサブセットからのＣＲＳと衝突しておらず、本装置は、衝突するＣＲＳをもつ干渉セルからの干渉を消去／抑圧すべきかどうかを決定するための手段をさらに含む。
【００７４】
[0084]上述の手段は、上述の手段によって具陳された機能を実施するように構成された、装置１００２、および／または装置１００２’の処理システム１１１４の上述のモジュールのうちの１つまたは複数であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実施するように構成された、ＴＸプロセッサ６６８と、ＲＸプロセッサ６５６と、コントローラ／プロセッサ６５９とであり得る。
【００７５】
[0085]開示したプロセス／フローチャートにおけるブロックの特定の順序または階層は、例示的な手法の一例であることを理解されたい。設計選好に基づいて、プロセス／フローチャートにおけるブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【００７６】
[0086]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
【図１】
2017515358.tif 000003
【図２】
2017515358.tif 000004
【図３】
2017515358.tif 000005
【図４】
2017515358.tif 000006
【図５】
2017515358.tif 000007
【図６】
2017515358.tif 000008
【図７】
2017515358.tif 000009
【図８】
2017515358.tif 000010
【図９】
2017515358.tif 000011
【図１０】
2017515358.tif 000012
【図１１】
2017515358.tif 000013
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
ユーザ機器におけるワイヤレス通信の方法であって、
複数のセルの各セルのための消去／抑圧効率（ＣＳＥ）を決定することと、
前記複数のセルの各セルのための前記決定されたＣＳＥに基づいてチャネル状態情報（ＣＳＩ）を計算することと
を備える、方法。
【請求項２】
前記複数のセルのうちの少なくとも１つは、干渉セルまたはサービングセルを備える、
請求項１に記載の方法。
【請求項３】
前記複数のセルの各セルのための前記ＣＳＥを決定するための参照リソースを決定することと、
前記複数のセルの各セルのための前記参照リソース上で前記信号を受信することを試みること、ここにおいて、前記ＣＳＥは、セルのための前記参照リソース中で受信された前記信号に基づいて、前記セルについて決定される、と
をさらに備える、請求項１に記載の方法。
【請求項４】
変調次数またはコーディング方式のうちの少なくとも１つに基づいて、前記複数のセルの各セルのための前記ＣＳＥを決定するための参照リソースを決定することをさらに備える、
請求項１に記載の方法。
【請求項５】
前記計算されたＣＳＥをペイロード中でサービング基地局に送ることをさらに備える、
請求項１に記載の方法。
【請求項６】
前記決定することおよび前記計算することが測定イベントによってトリガされる、
請求項１に記載の方法。
【請求項７】
サービング基地局からのセル固有基準信号（ＣＲＳ）が前記複数のセルの各干渉セルからのＣＲＳと衝突しているかどうかを決定することをさらに備え、前記ＣＳＩは、前記サービング基地局からのＣＲＳが前記複数のセルの各干渉セルからのＣＲＳと衝突しているかどうかの前記決定に基づいて計算される、
請求項１に記載の方法。
【請求項８】
前記サービング基地局からの前記ＣＲＳは、前記複数のセルの各干渉セルからのＣＲＳと衝突しておらず、前記ＣＳＩは、前記複数のセルから受信された信号の干渉消去／抑圧を実施せずに計算される、
請求項７に記載の方法。
【請求項９】
前記サービング基地局からの前記ＣＲＳは、前記複数のセルの各干渉セルからのＣＲＳと衝突しており、前記方法は、前記複数のセルの各干渉セルのための前記計算されたＣＳＥに重みを適用することをさらに備え、前記ＣＳＩは、前記複数のセルの各干渉セルのための前記重み付けされたＣＳＥに基づいて計算される、
請求項７に記載の方法。
【請求項１０】
前記ＣＳＩは、前記重み付けされたＣＳＥが０であるとき、干渉セルから受信された信号の干渉消去／抑圧を実施せずに計算され、前記重み付けされたＣＳＥが０でないとき、干渉セルから受信された信号の干渉消去／抑圧を実施して計算される、
請求項９に記載の方法。
【請求項１１】
前記サービング基地局からの前記ＣＲＳは、前記複数のセルの干渉セルの第１のサブセットからのＣＲＳと衝突しており、前記複数のセルの干渉セルの第２のサブセットからのＣＲＳと衝突しておらず、前記方法は、衝突するＣＲＳをもつ干渉セルからの干渉を消去／抑圧すべきかどうかを決定することをさらに備える、
請求項７に記載の方法。
【請求項１２】
前記干渉セルからの干渉信号を消去／抑圧することを控えることを決定すると、前記ＣＳＩは、衝突するＣＲＳをもつ干渉セルから受信された信号の干渉消去／抑圧を実施せずに計算される、
請求項１１に記載の方法。
【請求項１３】
前記干渉セルからの干渉信号を消去／抑圧することを決定すると、前記ＣＳＩは、衝突するＣＲＳをもつ干渉セルから受信された信号の干渉消去／抑圧を実施して計算される、
請求項１１に記載の方法。
【請求項１４】
前記ＣＳＩは、複数の計算されたＣＳＥ値を平均化することによって計算される、
請求項１１に記載の方法。
【請求項１５】
ユーザ機器におけるワイヤレス通信のための装置であって、
複数のセルの各セルのための消去／抑圧効率（ＣＳＥ）を決定するための手段と、
前記複数のセルの各セルのための前記決定されたＣＳＥに基づいてチャネル状態情報（ＣＳＩ）を計算するための手段と
を備える、装置。
【請求項１６】
前記複数のセルの各セルのための前記ＣＳＥを決定するための参照リソースを決定するための手段と、
前記複数のセルの各セルのための前記参照リソース上で前記信号を受信することを試みるための手段、ここにおいて、前記ＣＳＥは、セルのための前記参照リソース中で受信された前記信号に基づいて、前記セルについて決定される、と
をさらに備える、請求項１５に記載の装置。
【請求項１７】
変調次数またはコーディング方式のうちの少なくとも１つに基づいて、前記複数のセルの各セルのための前記ＣＳＥを決定するための参照リソースを決定するための手段をさらに備える、
請求項１５に記載の装置。
【請求項１８】
前記計算されたＣＳＥをペイロード中でサービング基地局に送るための手段をさらに備える、
請求項１５に記載の装置。
【請求項１９】
サービング基地局からのセル固有基準信号（ＣＲＳ）が前記複数のセルの各干渉セルからのＣＲＳと衝突しているかどうかを決定するための手段をさらに備え、前記ＣＳＩは、前記サービング基地局からのＣＲＳが前記複数のセルの各干渉セルからのＣＲＳと衝突しているかどうかの前記決定に基づいて計算される、
請求項１５に記載の装置。
【請求項２０】
前記サービング基地局からの前記ＣＲＳは、前記複数のセルの各干渉セルからのＣＲＳと衝突しておらず、前記ＣＳＩは、前記複数のセルから受信された信号の干渉消去／抑圧を実施せずに計算される、
請求項１９に記載の装置。
【請求項２１】
前記サービング基地局からの前記ＣＲＳは、前記複数のセルの各干渉セルからのＣＲＳと衝突しており、前記装置は、前記複数のセルの各干渉セルのための前記計算されたＣＳＥに重みを適用するための手段をさらに備え、前記ＣＳＩは、前記複数のセルの各干渉セルのための前記重み付けされたＣＳＥに基づいて計算される、
請求項１９に記載の装置。
【請求項２２】
前記サービング基地局からの前記ＣＲＳは、前記複数のセルの干渉セルの第１のサブセットからのＣＲＳと衝突しており、前記複数のセルの干渉セルの第２のサブセットからのＣＲＳと衝突しておらず、前記装置が、衝突するＣＲＳをもつ干渉セルからの干渉を消去／抑圧すべきかどうかを決定するための手段をさらに備える、
請求項１９に記載の装置。
【請求項２３】
ユーザ機器におけるワイヤレス通信のための装置であって、
メモリと、
前記メモリに結合された少なくとも１つのプロセッサと
を備え、前記少なくとも１つのプロセッサは、
複数のセルの各セルのための消去／抑圧効率（ＣＳＥ）を決定することと、
前記複数のセルの各セルのための前記決定されたＣＳＥに基づいてチャネル状態情報（ＣＳＩ）を計算することと
を行うように構成された、装置。
【請求項２４】
前記少なくとも１つのプロセッサは、
前記複数のセルの各セルのための前記ＣＳＥを決定するための参照リソースを決定することと、
前記複数のセルの各セルのための前記参照リソース上で前記信号を受信することを試みること、ここにおいて、前記ＣＳＥは、セルのための前記参照リソース中で受信された前記信号に基づいて、前記セルについて決定される、と
を行うようにさらに構成された、請求項２３に記載の装置。
【請求項２５】
前記少なくとも１つのプロセッサは、変調次数またはコーディング方式のうちの少なくとも１つに基づいて、前記複数のセルの各セルのための前記ＣＳＥを決定するための参照リソースを決定するようにさらに構成された、
請求項２３に記載の装置。
【請求項２６】
前記少なくとも１つのプロセッサは、前記計算されたＣＳＥをペイロード中でサービング基地局に送るようにさらに構成された、
請求項２３に記載の装置。
【請求項２７】
前記少なくとも１つのプロセッサは、サービング基地局からのセル固有基準信号（ＣＲＳ）が前記複数のセルの各干渉セルからのＣＲＳと衝突しているかどうかを決定するようにさらに構成され、前記ＣＳＩは、前記サービング基地局からのＣＲＳが前記複数のセルの各干渉セルからのＣＲＳと衝突しているかどうかの前記決定に基づいて計算される、
請求項２３に記載の装置。
【請求項２８】
前記サービング基地局からの前記ＣＲＳは、前記複数のセルの各干渉セルからのＣＲＳと衝突しており、前記少なくとも１つのプロセッサは、前記複数のセルの各干渉セルのための前記計算されたＣＳＥに重みを適用するようにさらに構成され、前記ＣＳＩは、前記複数のセルの各干渉セルのための前記重み付けされたＣＳＥに基づいて計算される、
請求項２７に記載の装置。
【請求項２９】
前記サービング基地局からの前記ＣＲＳは、前記複数のセルの干渉セルの第１のサブセットからのＣＲＳと衝突しており、前記複数のセルの干渉セルの第２のサブセットからのＣＲＳと衝突しておらず、前記少なくとも１つのプロセッサは、衝突するＣＲＳをもつ干渉セルからの干渉を消去／抑圧すべきかどうかを決定するようにさらに構成された、
請求項２７に記載の装置。
【請求項３０】
ユーザ機器におけるワイヤレス通信のためのコンピュータ実行可能コードを記憶するコンピュータ可読媒体であって、
複数のセルの各セルのための消去／抑圧効率（ＣＳＥ）を決定することと、
前記複数のセルの各セルのための前記決定されたＣＳＥに基づいてチャネル状態情報（ＣＳＩ）を計算することと
を行うためのコードを備える、コンピュータ可読媒体。
【手続補正２】
【補正対象書類名】明細書
【補正対象項目名】００７６
【補正方法】変更
【補正の内容】
【００７６】
[0086]以上の説明は、当業者が本明細書で説明した様々な態様を実施することができるようにするために提供したものである。これらの態様への様々な変更は当業者には容易に明らかであり、本明細書で定義した一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、出願当初の特許請求の範囲に記載された発明を付記する。
［Ｃ１］
セルのセットの各セルのための消去／抑圧効率（ＣＳＥ）を決定することと、
前記セルのセットの各セルのための前記決定されたＣＳＥに基づいてチャネル状態情報（ＣＳＩ）を計算することと
を備える、ワイヤレス通信の方法。
［Ｃ２］
前記セルのセットは、干渉セル、サービングセル、またはそれらの組合せのうちの少なくとも１つを含む、
Ｃ１に記載の方法。
［Ｃ３］
前記セルのセットの各セルのための前記ＣＳＥを決定するための参照リソースを決定することと、
前記セルのセットの各セルのための前記参照リソース上で前記信号を受信することを試みること、ここにおいて、前記ＣＳＥは、セルのための前記参照リソース中で受信された前記信号に基づいて、前記セルについて決定される、と
をさらに備える、Ｃ１に記載の方法。
［Ｃ４］
変調次数またはコーディング方式のうちの少なくとも１つに基づいて、前記セルのセットの各セルのための前記ＣＳＥを決定するための参照リソースを決定することをさらに備える、
Ｃ１に記載の方法。
［Ｃ５］
前記計算されたＣＳＥをペイロード中でサービング基地局に送ることをさらに備える、
Ｃ１に記載の方法。
［Ｃ６］
前記決定することおよび前記計算することが測定イベントによってトリガされる、
Ｃ１に記載の方法。
［Ｃ７］
サービング基地局からのセル固有基準信号（ＣＲＳ）が前記セルのセットの各干渉セルからのＣＲＳと衝突しているかどうかを決定することをさらに備え、前記ＣＳＩは、前記サービング基地局からのＣＲＳが前記セルのセットの各干渉セルからのＣＲＳと衝突しているかどうかの前記決定に基づいて計算される、
Ｃ１に記載の方法。
［Ｃ８］
前記サービング基地局からの前記ＣＲＳは、前記セルのセットの各干渉セルからのＣＲＳと衝突しておらず、前記ＣＳＩは、前記セルのセットから受信された信号の干渉消去／抑圧を実施せずに計算される、
Ｃ７に記載の方法。
［Ｃ９］
前記サービング基地局からの前記ＣＲＳは、前記セルのセットの各干渉セルからのＣＲＳと衝突しており、前記方法は、前記セルのセットの各干渉セルのための前記計算されたＣＳＥに重みを適用することをさらに備え、前記ＣＳＩは、前記セルのセットの各干渉セルのための前記重み付けされたＣＳＥに基づいて計算される、
Ｃ７に記載の方法。
［Ｃ１０］
前記ＣＳＩは、前記重み付けされたＣＳＥが０であるとき、干渉セルから受信された信号の干渉消去／抑圧を実施せずに計算され、前記重み付けされたＣＳＥが０でないとき、干渉セルから受信された信号の干渉消去／抑圧を実施して計算される、
Ｃ９に記載の方法。
［Ｃ１１］
前記サービング基地局からの前記ＣＲＳは、前記セルのセットの干渉セルの第１のサブセットからのＣＲＳと衝突しており、前記セルのセットの干渉セルの第２のサブセットからのＣＲＳと衝突しておらず、前記方法は、衝突するＣＲＳをもつ干渉セルからの干渉を消去／抑圧すべきかどうかを決定することをさらに備える、
Ｃ７に記載の方法。
［Ｃ１２］
前記干渉セルからの干渉信号を消去／抑圧することを控えることを決定すると、前記ＣＳＩは、衝突するＣＲＳをもつ干渉セルから受信された信号の干渉消去／抑圧を実施せずに計算される、
Ｃ１１に記載の方法。
［Ｃ１３］
前記干渉セルからの干渉信号を消去／抑圧することを決定すると、前記ＣＳＩは、衝突するＣＲＳをもつ干渉セルから受信された信号の干渉消去／抑圧を実施して計算される、
Ｃ１１に記載の方法。
［Ｃ１４］
前記ＣＳＩは、複数の計算されたＣＳＥ値を平均化することによって計算される、
Ｃ１１に記載の方法。
［Ｃ１５］
セルのセットの各セルのための消去／抑圧効率（ＣＳＥ）を決定するための手段と、
前記セルのセットの各セルのための前記決定されたＣＳＥに基づいてチャネル状態情報（ＣＳＩ）を計算するための手段と
を備える、ワイヤレス通信のための装置。
［Ｃ１６］
前記セルのセットの各セルのための前記ＣＳＥを決定するための参照リソースを決定するための手段と、
前記セルのセットの各セルのための前記参照リソース上で前記信号を受信することを試みるための手段、ここにおいて、前記ＣＳＥは、セルのための前記参照リソース中で受信された前記信号に基づいて、前記セルについて決定される、と
をさらに備える、Ｃ１５に記載の装置。
［Ｃ１７］
変調次数またはコーディング方式のうちの少なくとも１つに基づいて、前記セルのセットの各セルのための前記ＣＳＥを決定するための参照リソースを決定するための手段をさらに備える、
Ｃ１５に記載の装置。
［Ｃ１８］
前記計算されたＣＳＥをペイロード中でサービング基地局に送るための手段をさらに備える、
Ｃ１５に記載の装置。
［Ｃ１９］
サービング基地局からのセル固有基準信号（ＣＲＳ）が前記セルのセットの各干渉セルからのＣＲＳと衝突しているかどうかを決定するための手段をさらに備え、前記ＣＳＩは、前記サービング基地局からのＣＲＳが前記セルのセットの各干渉セルからのＣＲＳと衝突しているかどうかの前記決定に基づいて計算される、
Ｃ１５に記載の装置。
［Ｃ２０］
前記サービング基地局からの前記ＣＲＳは、前記セルのセットの各干渉セルからのＣＲＳと衝突しておらず、前記ＣＳＩは、前記セルのセットから受信された信号の干渉消去／抑圧を実施せずに計算される、
Ｃ１９に記載の装置。
［Ｃ２１］
前記サービング基地局からの前記ＣＲＳは、前記セルのセットの各干渉セルからのＣＲＳと衝突しており、前記装置は、前記セルのセットの各干渉セルのための前記計算されたＣＳＥに重みを適用するための手段をさらに備え、前記ＣＳＩは、前記セルのセットの各干渉セルのための前記重み付けされたＣＳＥに基づいて計算される、
Ｃ１９に記載の装置。
［Ｃ２２］
前記サービング基地局からの前記ＣＲＳは、前記セルのセットの干渉セルの第１のサブセットからのＣＲＳと衝突しており、前記セルのセットの干渉セルの第２のサブセットからのＣＲＳと衝突しておらず、前記装置が、衝突するＣＲＳをもつ干渉セルからの干渉を消去／抑圧すべきかどうかを決定するための手段をさらに備える、
Ｃ１９に記載の装置。
［Ｃ２３］
メモリと、
前記メモリに結合された少なくとも１つのプロセッサと
を備え、前記少なくとも１つのプロセッサは、
セルのセットの各セルのための消去／抑圧効率（ＣＳＥ）を決定することと、
前記セルのセットの各セルのための前記決定されたＣＳＥに基づいてチャネル状態情報（ＣＳＩ）を計算することと
を行うように構成された、ワイヤレス通信のための装置。
［Ｃ２４］
前記少なくとも１つのプロセッサは、
前記セルのセットの各セルのための前記ＣＳＥを決定するための参照リソースを決定することと、
前記セルのセットの各セルのための前記参照リソース上で前記信号を受信することを試みること、ここにおいて、前記ＣＳＥは、セルのための前記参照リソース中で受信された前記信号に基づいて、前記セルについて決定される、と
を行うようにさらに構成された、Ｃ２３に記載の装置。
［Ｃ２５］
前記少なくとも１つのプロセッサは、変調次数またはコーディング方式のうちの少なくとも１つに基づいて、前記セルのセットの各セルのための前記ＣＳＥを決定するための参照リソースを決定するようにさらに構成された、
Ｃ２３に記載の装置。
［Ｃ２６］
前記少なくとも１つのプロセッサは、前記計算されたＣＳＥをペイロード中でサービング基地局に送るようにさらに構成された、
Ｃ２３に記載の装置。
［Ｃ２７］
前記少なくとも１つのプロセッサは、サービング基地局からのセル固有基準信号（ＣＲＳ）が前記セルのセットの各干渉セルからのＣＲＳと衝突しているかどうかを決定するようにさらに構成され、前記ＣＳＩは、前記サービング基地局からのＣＲＳが前記セルのセットの各干渉セルからのＣＲＳと衝突しているかどうかの前記決定に基づいて計算される、
Ｃ２３に記載の装置。
［Ｃ２８］
前記サービング基地局からの前記ＣＲＳは、前記セルのセットの各干渉セルからのＣＲＳと衝突しており、前記少なくとも１つのプロセッサは、前記セルのセットの各干渉セルのための前記計算されたＣＳＥに重みを適用するようにさらに構成され、前記ＣＳＩは、前記セルのセットの各干渉セルのための前記重み付けされたＣＳＥに基づいて計算される、
Ｃ２７に記載の装置。
［Ｃ２９］
前記サービング基地局からの前記ＣＲＳは、前記セルのセットの干渉セルの第１のサブセットからのＣＲＳと衝突しており、前記セルのセットの干渉セルの第２のサブセットからのＣＲＳと衝突しておらず、前記少なくとも１つのプロセッサは、衝突するＣＲＳをもつ干渉セルからの干渉を消去／抑圧すべきかどうかを決定するようにさらに構成された、
Ｃ２７に記載の装置。
［Ｃ３０］
ワイヤレス通信のためのコンピュータ実行可能コードを記憶するコンピュータ可読媒体であって、
セルのセットの各セルのための消去／抑圧効率（ＣＳＥ）を決定することと、
前記セルのセットの各セルのための前記決定されたＣＳＥに基づいてチャネル状態情報（ＣＳＩ）を計算することと
を行うためのコードを備える、コンピュータ可読媒体。
【国際調査報告】
2017515358.tif 000014
2017515358.tif 000015